(57)【要約】【課題】シンプル且つ軽量な構成で携帯にも至便であって、マイクスタンドに簡単に設置して用いることができると共に、卓上使用も可能なプロンプター装置を提供することを課題とする。【解決手段】ベース板１と、ベース板１の周縁部に起立させた複数の連結部材３を介して間隔を置いてベース板１の上側に配置される天板２と、挟持部５がベース板１と天板２とから突出した状態にてベース板１と天板２との間に配置される固定具４と、支柱６が天板２を貫いてベース板１に差し込まれて支持される支柱付きハーフミラー７と、天板２上に載置されてハーフミラー７に画像を映写する表示装置８とから成り、ベース板１と天板２の間から突出する固定具４の挟持部５を介してマイクスタンド２０に取り付け可能にした。【選択図】図１
2014228620.tif 000002
【特許請求の範囲】
【請求項１】
ベース板と、前記ベース板の周縁部に起立させた複数の連結部材を介して間隔を置いて前記ベース板の上側に配置される天板と、前記ベース板と前記天板との間に配置される固定具と、支柱が前記天板を上方から貫いて前記ベース板に差し込まれて支持される支柱付きハーフミラーと、前記天板上に載置されて前記ハーフミラーに画像を映写する表示装置とから成り、前記固定具を介してマイクスタンドに取り付け可能にしたことを特徴とするプロンプター装置。
【請求項２】
前記固定具は脱着可能にされ、それを取り外した状態にて卓上使用が可能な、請求項１に記載のプロンプター装置。
【請求項３】
前記固定具は、支軸を中心に挟持部と摘持部とを備えるピンチタイプのものであり、前記挟持部が前記ベース板及び天板から突出した状態にて前記ベース板と前記天板との間に保持される、請求項１又は２に記載のプロンプター装置。
【請求項４】
前記複数の連結部材のうちの１組は、前記固定具の一対の摘持部のなす角度に対応する角度にて前記ベース板と前記天板とに差し込まれ、前記摘持部の各外側面がそれぞれ前記連結部材に当接することにより前記ベース板と前記天板との間に安定的に支持される、請求項３に記載のプロンプター装置。
【請求項５】
前記固定具は、その支軸の下端部が前記ベース板に差し込まれると共にその上端部が前記天板に差し込まれることにより、前記ベース板と前記天板とによって支持される、請求項３又は４に記載のプロンプター装置。
【請求項６】
前記固定具は、マイクスタンドを抱持して締め付け固定する抱持部を備えていて、前記抱持部が前記ベース板及び天板から突出した状態にて前記ベース板と前記天板との間に保持される、請求項１又は２に記載のプロンプター装置。
【請求項７】
前記ベース板と前記天板との間に保持される部分が、２つの前記連結部材を取り囲む湾曲部である、請求項６に記載のプロンプター装置。
【請求項８】
前記ベース板と前記天板との間に保持される部分が前記ベース板と前記天板とに固定されている、請求項６に記載のプロンプター装置。
【請求項９】
前記固定具を取り外して卓上使用する場合において、前記ベース板と前記天板との間に前記複数の連結部材の内側に収まるスペーサが配置される、請求項２乃至７のいずれかに記載のプロンプター装置。
【請求項１０】
前記天板上に滑り止めシートが定置される、請求項１乃至９のいずれかに記載のプロンプター装置。
【請求項１１】
前記滑り止めシートは樹脂板を介して前記天板上に定置される、請求項１０に記載のプロンプター装置。
【請求項１２】
前記連結部材の下端部は、前記ベース板を貫いて下方に突出している、請求項１乃至１１のいずれかに記載のプロンプター装置。
【発明の詳細な説明】
【技術分野】
【０００１】
本発明は、プロンプター装置に関するものであり、より詳細には、主に講演、演説、スピーチ等に際し、マイクスタンドに取り付けて使用することができる、シンプル且つ軽量な構成で、携帯に至便な、スピーチ用のプロンプター装置に関するものである。
【背景技術】
【０００２】
プロンプターは、放送、講演、演説、スピーチ等に際し、原稿や歌詞等を投影表示して、話者、演者等を補助するための装置であり、スタジオ等において用いられるカメラ用プロンプターと、本発明の対象である、講演、演説、スピーチ等に際して用いられるスピーチ用プロンプターに大別されるが（兼用のものもある）、いずれの場合も、基本的には、原稿や歌詞等を映し出す表示装置と、表示された内容を反転させて映し出すハーフミラーとで構成される。
【０００３】
スピーチ用プロンプター装置を開示するものとしては、特開平８−９４９５８号公報、特開平８−１２２６９７号公報、実用新案登録第３０３９３３７号公報、実用新案登録第３０１９０１７号公報等があるが、これらに開示されているプロンプター装置は、いずれも演台等に載置して使用することを想定した卓上用のものである。
【０００４】
しかるに、講演、演説、スピーチ等は、必ずしも着座して行う訳ではなく、結婚式や各種パーティーにおけるスピーチ等においては、立位にてマイクを用い、あるいは、ハンドマイクを用いて行うことも少なくないところ、これらの場合に上記卓上用のプロンプター装置を用いることができないことは言うまでもない。
【先行技術文献】
【特許文献】
【０００５】
【特許文献１】特開平８−９４９５８号公報
【特許文献２】特開平８−１２２６９７号公報
【特許文献３】実用新案登録第３０３９３３７号公報
【特許文献４】実用新案登録第３０１９０１７号公報）
【発明の概要】
【発明が解決しようとする課題】
【０００６】
上述したように、従来のスピーチ用プロンプター装置はいずれも卓上用であって、演台がなく、立位にてマイクを用い、あるいは、ハンドマイクを用いて行うような際に利用することができなかった。本発明はこのような問題を解決するためになされたもので、シンプル且つ軽量な構成で携帯にも至便であって、マイクスタンドに簡単に設置して用いることができると共に、卓上使用も可能なプロンプター装置を提供することを課題とする。
【課題を解決するための手段】
【０００７】
上記課題を解決するための請求項１に係る発明は、ベース板と、前記ベース板の周縁部に起立させた複数の連結部材を介して間隔を置いて前記ベース板の上側に配置される天板と、前記ベース板と前記天板との間に配置される固定具と、支柱が前記天板を上方から貫いて前記ベース板に差し込まれて支持される支柱付きハーフミラーと、前記天板上に載置されて前記ハーフミラーに画像を映写する表示装置とから成り、前記固定具を介してマイクスタンドに取り付け可能にしたことを特徴とするプロンプター装置である。
【０００８】
一実施形態においては、前記固定具は脱着可能にされ、それを取り外した状態にて卓上使用可能にされる。
【０００９】
一実施形態における前記固定具は、支軸を中心に挟持部と摘持部とを備えるピンチタイプのものであり、前記挟持部が前記ベース板及び天板から突出した状態にて前記ベース板と前記天板との間に保持される。その場合、前記複数の連結部材のうちの１組は、前記固定具の一対の摘持部のなす角度に対応する角度にて前記ベース板と前記天板とに差し込まれ、前記摘持部の各外側面がそれぞれ前記連結部材に当接することにより前記ベース板と前記天板との間に安定的に支持される。また、前記固定具は、その支軸の下端部が前記ベース板に差し込まれると共にその上端部が前記天板に差し込まれることにより、前記ベース板と前記天板とによって支持される。
【００１０】
また、他の実施形態における前記固定具は、マイクスタンドを抱持して締め付け固定する抱持部を備えていて、前記抱持部が前記ベース板及び天板から突出した状態にて前記ベース板と前記天板との間に保持される。その場合、前記ベース板と前記天板との間に保持される部分が、２つの前記連結部材を取り囲む湾曲部とされ、また、前記ベース板と前記天板との間に保持される部分が前記ベース板と前記天板とに固定されることがある。
【００１１】
また、一実施形態においては、前記固定具を取り外して卓上使用する場合において、前記ベース板と前記天板との間に前記複数の連結部材の内側に収まるスペーサが配置される。また、前記天板上に滑り止めシートが定置されることがあり、その場合、前記滑り止めシートは樹脂板を介して前記天板上に定置されることもある。更に、前記連結部材の下端部を、前記ベース板を貫いて下方に突出させることがある。
【発明の効果】
【００１２】
本発明は上述したとおりであって、ベース板と、前記ベース板の周縁部に起立させた複数の連結部材を介して間隔を置いて前記ベース板の上側に配置される天板と、前記ベース板と前記天板との間に配置される固定具と、支柱が前記天板を上方から貫いて前記ベース板に差し込まれて支持される支柱付きハーフミラーと、前記天板上に載置されて前記ハーフミラーに画像を映写する表示装置とから成り、前記ベース板と前記天板の間の前記固定具を介してマイクスタンドに取り付け可能であるので、シンプル且つ軽量な構成で、分解して携帯することができ、使用時に簡単に組み立ててマイクスタンドに即座に設置して用いることができると共に、卓上使用も可能という効果がある。
【図面の簡単な説明】
【００１３】
【図１】本発明に係るプロンプター装置の一実施形態の使用状態を示す斜視図である。
【図２】図１に示すプロンプター装置の主要部の分解斜視図である。
【図３】本発明に係るプロンプター装置の一実施形態の他の使用状態を示す斜視図である。
【図４】図３に示すプロンプター装置の主要部の分解斜視図である。
【図５】本発明に係るプロンプター装置における固定具の別構成例を示す斜視図である。
【図６】本発明に係るプロンプター装置のバッグへの収納状態を示す斜視図である。
【図７】本発明に係るプロンプター装置がコンパクト且つ軽量であることを示す斜視図である。
【発明を実施するための形態】
【００１４】
本発明を実施するための形態につき、添付図面を参照しつつ説明する。本発明に係るプロンプター装置は、図１に示されるように、マイクスタンド２０に取り付けて使用可能であると共に、図３に示されるように、卓上に置いて使用することが可能なものである。
【００１５】
本プロンプター装置は、ベース板１と、複数の連結部材３を介してベース板１の上側に配置される天板２と、ベース板１と天板２との間に配備される固定具４と、支柱６がベース板１と天板２とに挿通されることによりベース板１と天板２とに立設される支柱付きハーフミラー７と、天板２上に載置されてハーフミラー７に画像を映写する表示装置８とから成り、固定具４を介してマイクスタンド２０に固定することが可能なものである。
【００１６】
固定具４としては、マイクスタンド２０を挟持し、あるいは、抱持することにより本装置をマイクスタンド２０に固定し得るものであればよく、例えば、図２に示されるような、ピンチタイプ（洗濯バサミタイプ）のものが簡便且つ好適である。即ち、その固定具４は、支軸１５を中心にバネ力によって開閉する一対の挟持部５と摘持部５ａとを備えるものであり、その場合、その挟持部５がベース板１と天板２から突出するようにしてベース板１と天板２との間に配備される。
【００１７】
また、固定具４の他の例としては、帯状金属板を丸めて構成される締付具２１が考えられる。例えば、この締付具２１は、一半部が２つの連結部材３、３を取り囲む湾曲部２２とされ、他半部がマイクスタンド２０を抱持して締め付ける抱持部２３とされたものである（図５参照）。この締付具２１は、例えば、その湾曲部２２を２つの連結部材３、３を囲むようにしてベース板１と天板２の間に配備することにより、その抱持部２３をベース板１と天板２より突出させた状態にてベース板１と天板２との間に係止させる。
【００１８】
この締付具２１の場合は、ベース板１と天板２とから突出する抱持部２３でマイクスタンド２０を抱持させ、抱持部２３に形成された一対のネジ穴２３ａ、２３ｂにネジ２４を差し込んでナット２４ａでネジ締めするタイプのものである。なお、ベース板１と天板２の間に収まる湾曲部２２の構成は任意で、ベース板１と天板２とに固定する構成とすることもできる。固定具４は、上記した例の他にも種々の構成が考えられる。
【００１９】
ベース板１と天板２は、固めに成形したウレタン等の軽量な発泡樹脂製で、通例、同一形状に成形される。ベース板１と天板２の各周縁部の対応個所に、連結材３を差し込むための差込孔９、９ａ〜１２、１２ａが複数（図示した例では４個）形成されると共に、ハーフミラー７の支柱６を差し込むための円孔１３、１３ａが各１つ形成される。差込孔９、９ａ〜１２、１２ａは、板状の連結材３を差し込むものであるために横長のものとされる。例えば、差込孔９、９ａ、１０、１０ａは、ベース板１と天板２の各縦辺及び横辺に対して斜め向きに形成され、差込孔１１、１１ａ、１２、１２ａは、ベース板１と天板２の各縦辺と平行に形成される（図２参照）。
【００２０】
図１乃至図４に示される実施形態の場合、好ましくは、固定具４をベース板１と天板２との間において確固と支持させるために、ベース板１の上面と天板２の裏面のそれぞれに、固定具４の枢支軸１５を嵌入させるための支持孔１４、１４ａが形成される。これらの差込孔９、９ａ〜１２、１２ａ、円孔１３、１３ａ、支持孔１４、１４ａのうち、円孔１３ａは必ず貫通孔とされるが、それ以外は、天付き、あるいは、底付きのものとしてもよい。差込孔９、９ａ〜１２、１２ａを貫通孔とした場合は、連結材３の下部をベース板１から下方に突出させ、また、連結材３の上部を天板２から上方に突出させることができる。
【００２１】
天板２の上面には、必要に応じて滑り止めシート１６が定置され、その上に表示装置８が載置される。連結材３の上部を天板２から上方に突出させる構成の場合、滑り止めシート１６は、天板２から突出する連結材３の上部間に収まるサイズ並びに形状のものとされる。また、天板２の上に樹脂板１９を接着固定し、その上に滑り止めシート１６を定置することとしてもよい。通例、樹脂板１９は天板２を覆う大きさとされ、少なくとも、ハーフミラー７の支柱６を挿通するための円孔が穿設される。
【００２２】
表示装置８としては、小型のスマートホン又はタブレットが用いられる。また、ハーフミラー７と支柱６は、携帯時の利便性を考慮して、分離可能にされる。そして、支柱６は、携帯面を考慮すると共に、ハーフミラー７の高さ調整を可能にするために、伸縮可能又は折り畳み可能にすることが好ましい。
【００２３】
本プロンプター装置を卓上用として用いる場合には、固定具４はそのままであってもよいが（固定具４がベース板１と天板２間に固定される場合は、そのままとなることは言うまでもない。）、通常は取り外し、必要に応じて、ベース板１と天板２との間に、高さ調整用のスペーサ板１７を挟み入れることとする。
【００２４】
本プロンプター装置は各部が分離されて、１つの携帯バッグ１８内に収容して携帯でき（図５、６参照）、使用に際して組み立てて用いる。即ち、図２に示されるように、先ず、ベース板１の各差込孔９〜１２に連結材３の下部を差し込んで直立させ、また、固定具４の枢支軸１５の下部を支持孔１４内に差し込む（図２参照）。
【００２５】
図１乃至図４に示される実施形態においては、その連結材３差し込みの際に、傾斜する差込孔１０に差し込まれた連結材３と、縦辺に沿う差込孔１１に差し込まれた連結材３のなす角が、固定具４の一対の摘持部５ａのなす角に一致するように設定されることが好ましい。そのようにした場合は、その一対の摘持部５ａの各外側面がそれぞれ連結部材３に当接することになるため、固定具４が挟持部５側に脱落することが確実に防止され、固定具４がベース板１と天板２との間に安定的に支持されることとなる（図２における仮想線参照）。
【００２６】
本プロンプター装置をマイクスタンド２０に取り付けて用いる場合は、上記のようにしてベース板１に連結材３を直立させ、また、固定具４をセットした後、天板２を被せて、各連結材３の上部をそれぞれ差込孔９ａ〜１２ａに差し込むと共に、固定具４の枢支軸１５の上部を支持孔１４ａ内に差し込むことにより、ベース板１と天板２とを結合する。次いで、ハーフミラー７の支柱６を円孔１３ａから円孔１３にかけて差し込み、また、天板２上に滑り止めシート１６を直接、あるいは、樹脂板１９を介して定置する。
【００２７】
そして、マイクスタンド２０への取り付けは、ベース板１と天板２との間の隙間に指を差し入れ、指先で摘持部５ａ、５ａを加圧して挟持部５、５を開いてマイクスタンド２０を挟み、摘持部５ａ、５ａに対する加圧を解除して挟持部５によりマイクスタンド２０を挟持させる。なお、挟持部５による挟圧力が不十分でずれ動くことを防止するために、挟持部５の挟圧面に適宜滑り止め材を定着したり、マイクスタンド２０に滑り止めテープを巻き付けたりしてもよい。このようにしてマイクスタンド２０に取り付けた後、天板２上に表示装置８を載置して準備完了となる。また、図５に示される実施形態の場合は、抱持部２３をネジ止めすることによりマイクスタンド２０に取り付ける。
【００２８】
プロンプター装置としての使用法は一般のものと特に変わりはなく、表示装置８から反転投影した画像はハーフミラー７において正転表示され、話者が読み取り可能な画像となる。なお、本発明における表示装置８としては、スマートホンや小型のタブレットが好適で、所望のプロンプター用アプリケーションをダウンロードして用いることができる。
【００２９】
本プロンプター装置は各部品ごとに分解可能であって、１つのケース１８に収納して携帯可能であり（図６参照）、その重量は小指で支持可能な程度である（図７参照）。
【００３０】
この発明をある程度詳細にその最も好ましい実施形態について説明してきたが、この発明の精神と範囲に反することなしに広範に異なる実施形態を構成することができることは言うまでもない。従って、この発明は、添付請求の範囲において限定した以外はその特定の実施形態に制約されるものではない。
【符号の説明】
【００３１】
１      ベース板
２      天板
３      連結材
４      固定具
５      挟持部
５ａ    摘持部
６      支柱
７      ハーフミラー
８      表示装置
９〜１２  差込孔      
９ａ〜１２ａ  差込孔
１３、１３ａ   円孔
１４、１４ａ   支持孔
１５    枢支軸
１６    滑り止めシート
１７    スペーサ
１８    ケース
１９    樹脂板
２０    マイクスタンド
２１    締付具
２２    湾曲部
２３    抱持部
２３ａ   ネジ穴
２４    ネジ
２４ａ  ナット
【図１】
2014228620.tif 000003
【図２】
2014228620.tif 000004
【図３】
2014228620.tif 000005
【図４】
2014228620.tif 000006
【図５】
2014228620.tif 000007
【図６】
2014228620.tif 000008
【図７】
2014228620.tif 000009